(57)【要約】【課題】完成品又は原材料などの運搬や保管等に際して種類や性質、或いは用途等に応じて簡単に仕分けでるようにした仕分け用枠体付き平台車及び仕分け用枠体を提供する。【解決手段】平台車2と平台車2の対向する縁端部2a,2aに互いに対向し、かつ平台車2の縁端部連続方向に沿って設置される一組の仕分け用枠体3,3と、仕分け用枠体3,3間に設置される棚板13とから構成する。仕分け用枠体3は、平台車2の対向する縁端部2a,2aに縁端部連続方向に間隔をおいてそれぞれ立設された複数の支柱5,5と、支柱5,5間に架設された手すり7a及び7bと、支柱5に連結された一端側端部8aを軸に水平旋回して、平台車2の縁端部連続方向と直交する方向に対向する支柱5,5間に架設され、棚板13を支持する複数の載置用横架材8,8とから構成する。【選択図】図４
2020044902.tif 000002
【特許請求の範囲】
【請求項１】
平台車と、当該平台車の対向する縁端部に互いに対向し、かつ前記平台車の縁端部連続方向に沿って設置される一組の仕分け用枠体を備えてなる仕分け用枠体付き平台車であって、前記仕分け用枠体は、前記平台車の対向する縁端部にそれぞれ立設された複数の支柱と、当該支柱間に架設された手すりと、前記支柱に連結された一端側を軸に旋回して、前記平台車の縁端部連続方向と直交する方向に対向する支柱間に架設される載置用横架材とを備えてなることを特徴とする仕分け用枠体付き平台車。
【請求項２】
請求項１記載の仕分け用枠体付き平台車において、前記置用横架材の上に棚板が設置されていることを特徴とする仕分け用枠体付き平台車。
【請求項３】
請求項１または２記載の仕分け用枠体付き平台車において、前記載置用横架材は、前記支柱の上下方向に間隔をおいて複数設置されていることを特徴とする仕分け用枠体付き平台車。
【請求項４】
平台車の対向する縁端部に互いに対向し、かつ前記平台車の縁端部連続方向に沿って設置され、前記平台車に載置される資材を支持する仕分け用枠体であって、前記平台車の対向する縁端部に、前記平台車の縁端部連続方向に間隔をおいて立設される複数の支柱と、当該支柱間に架設された手すりと、前記支柱に連結された一端側を軸に旋回して、前記平台車の縁端部連続方向と直交する方向に対向する支柱間に架設される載置用横架材とを備えてなることを特徴とする仕分け用枠体。
【発明の詳細な説明】
【技術分野】
【０００１】
本発明は、完成品または原材料などの資材の運搬や保管等に用いられる仕分け用枠体付き平台車および仕分け用枠体に関し、完成品または原材料などの資材の運搬や保管等に際して完成品または原材料などの資材の種類や性質、用途などに応じてこれらを簡単に仕分けして運搬や保管ができるようにしたものである。
【背景技術】
【０００２】
建設現場や工場、或いは配送所などでは、完成品または原材料などの資材を運搬や保管等する台車として平台車が一般に用いられている。
【０００３】
この種の平台車は、底部に走行用のキャスターを備え、特に運搬や保管等に際して完成品や原材料などの資材を種類や性質、或いは用途などに応じて仕分けが必要な場合は、例えば、台車の四隅に支柱を建て付け、当該支柱間に横架材を架け渡して棚枠を組み、その上に棚板を設置して完成品または原材料などの資材を上下二段に仕分けして運搬や保管等している。
【０００４】
また、支柱と横架材には仮設足場に用いられる単管パイプが用いられ、また横架材は仮設足場の組み立てに用いられる自在クランプによって支柱に締結されている。
【先行技術文献】
【特許文献】
【０００５】
【特許文献１】実用新案登録第3129349号
【特許文献２】実用新案登録第3202152号
【発明の概要】
【発明が解決しようとする課題】
【０００６】
しかし、仕分けが必要な時に、その都度、台車の四隅に支柱を建て付け、各支柱間に横架材を架け渡し、さらに各支柱と横架材間を自在クランプで締結する作業は、非常に煩わしく面倒であった。
【０００７】
また、自在クランプの締結ナットの締め付けが不充分だと、完成品や原材料などの重量で棚板が横架材と共にずり落ちるおそれがあり、かといって締結ナットを締め過ぎると、解体が困難になる等の課題があった。
【０００８】
さらに、自在クランプの本体やボルトが支柱の周囲に突出するため、これに作業員の衣類が引っかかったり、或いは作業員が手をぶつけたりしてケガをするおそれがあり、安全性にも課題があった。
【０００９】
本発明は、以上の課題を解決するためになされたもので、完成品または原材料などの資材の運搬や保管等に際し、完成品または原材料などの資材の種類や性質、或いは用途などに応じて簡単に仕分けができるようにした仕分け用枠体付き平台車および仕分け用枠体を提供することを目的とする。
【課題を解決するための手段】
【００１０】
本発明は、平台車と、当該平台車の対向する縁端部に互いに対向し、かつ前記平台車の縁端部連続方向に沿って設置される一組の仕分け用枠体とを備えてなる仕分け用枠体付き平台車の発明であり、前記仕分け用枠体は、前記平台車の対向する縁端部にそれぞれ立設された複数の支柱と、当該支柱間に架設された手すりと、前記支柱に連結された一端側を軸に旋回して、前記平台車の縁端部連続方向と直交する方向に対向する支柱間に架設される載置用横架材とを備えてなることを特徴とするものである。
【００１１】
本発明の仕分け用枠体付き平台車であれば、平台車には、例えば塊状の資材または粉状や粒状の資材で箱詰めや袋詰めしたものを載せ、載置用横架材にはパイプ等の長尺の完成品や資材を載せることにより、異なる種類の完成品や資材を一緒に運搬または保管等することができる。また、前記載置用横架材の上に棚板を設置することで、粉状または粒状の資材であっても、袋詰めまたは箱詰め等することにより載置用横架材の上に載せることができる。
【００１２】
前記支柱、手すりおよび載置用横架材は、調達の容易な単管パイプによって容易に形成することができ、また、前記棚板には仮設足場用のつかみ金具付き足場板を使用することができる。
【００１３】
前記載置用横架材は、前記支柱間にその上下方向に間隔をおいて複数架設し、各載置用横架材の上に棚板を設置することにより、原材料などの運搬資材を複数段に仕分けすることができる。また、前記仕分け用枠体は、既製の平台車にも設置して使用することができる。
【発明の効果】
【００１４】
本発明の仕分け用枠体付き平台車であれば、建設現場や工場、或いは配送所などで、完成品や原材料などの資材を運搬や保管等をする際に、完成品や資材の種類や性質、或いは用途に応じて簡単に仕分けすることができる。また、載置用横架材を複数段設置し、各段の載置用横架材の上に棚板を設置することにより数種類の資材も仕分けして運搬等することができる。
【００１５】
さらに、本発明の仕分け用枠体は、既製の平台車にも設置して使用することができるため、利用の拡大が大いに期待できる。
【図面の簡単な説明】
【００１６】
【図１】本発明の一実施形態であり、図1(a)は仕分け用枠体付き平台車の平面図、図1(b)はその正面図である。
【図２】図１に図示した仕分け用枠体付き平台車の側面図である。
【図３】図１の平台車に設置されている一組の仕分け用枠体を図示したものであり、図3(a)は平面図、図3(b)は正面図である。
【図４】本発明の他の実施形態であり、図4(a)は仕分け用枠体付き平台車の平面図、図4(b)はその正面図である。
【発明を実施するための形態】
【００１７】
図１〜図３は、本発明の一実施形態を図示したものである。図において、仕分け用枠体付き平台車１は、平台車２と当該平台車２の、平行に連続する長辺側縁端部2a,2aに当該縁端部2aの連続方向(長辺方向)に沿って平行に、かつ長辺側縁端部2aの連続方向と直交する方向に互いに対向してそれぞれ設置された一組の仕分け用枠体3,3とを備えている。
【００１８】
平台車２は、鋼製軸組に鋼製パネルと金網パネルを取り付けることにより平面視長方形状に構成されている。また、その長辺側縁端部2a,2aの連続方向(長辺方向)の両端部に、その底部側と上部側にそれぞれ位置して走行用のキャスター4,4と後述する支柱5,5を立設するための立込み孔6,6が設置されている。キャスター４には、特に任意方向に走行可能な自在キャスターが使用されている。
【００１９】
仕分け用枠体３は、平台車２の長辺側縁端部2aの連続方向(長辺方向)の両端部にそれぞれ立設された支柱5,5と、当該支柱5,5間に架け渡された手すり７および載置用横架材８とを備え、支柱５は立込み孔６内に自立可能に、かつ脱着可能に立設されている。
【００２０】
載置用横架材８は、対向する仕分け用枠体3,3の、平台車２の長辺側縁端部2aの連続方向と直交する方向に対向する支柱5,5間に架け渡されている。
【００２１】
また特に、載置用横架材８の一端側端部8aは、対向する仕分け用枠体3,3の一方の枠体３の支柱5の側部にブラケット９と鉛直ピン10を介し、鉛直ピン10を軸に水平方向に回転自在に連結されている。
【００２２】
一方、載置用横架材８の他端側端部8bは、他方の仕分け用枠体３の支柱5の側部に楔11と楔受け12を介し脱着可能に連結されている。
【００２３】
ブラケット９と鉛直ピン10は、いずれも、障害とならないように可能な限りコンパクトな形状、大きさに形成され、特にブラケット９は上下手すり7aおよび7bの架設方向に突設され、支柱５の周囲に突出しないようにすることで、安全性が図られている。
【００２４】
楔11は載置用横架材８の他端側端部8bに、楔受け12は他方の載置用枠体３の支柱５の側部にそれぞれ取り付けられ、さらに楔受け12には鉛直方向に貫通する楔挿入孔(図省略)が形成されている。
【００２５】
そして、楔受け12の楔挿入孔に楔11が上から差し込まれることにより、載置用横架材８の他端側端部8bは、他方の仕分け用枠体３の支柱５の側部にワンタッチで脱着可能に連結されている。
【００２６】
なお、ブラケット９と楔受け12を支柱5,5の上下方向に等間隔に複数組取り付け、保管等される原材料などの資材イの大きさや量などに応じて、載置用横架材８の両端部を最適な位置(高さ)に連結できるようにしてもよい。
【００２７】
また、支柱5,5の側部にそれぞれ複数の係止孔(図省略)を支柱5の上下方向に等間隔に形成し、その中の最適な位置(高さ)の係止孔に一組のブラケット９と楔受け12を前記係止孔に係合可能なフックや差込ピン(図省略)等によって脱着可能に取り付け、当該ブラケット９と楔受け12によって、載置用横架材８の両端部を最適な位置(高さ)に連結できるようにしてもよい。
【００２８】
このように設置された載置用横架材８は、鉛直ピン10を軸に他方の仕分け用枠体３側に水平に旋回させて、平台車２の長辺側縁端部2aの連続方向と直交する方向に対向する支柱5,5間に架け渡すことができ、また、他端側端部8bを楔11と楔受け12によって対向する側の支柱５の側部に簡単に連結することができる。
【００２９】
また、楔受け12から楔11を引き抜き、鉛直ピン10を軸に載置用横架材８を反対方向に水平に旋回することにより、上下手すり7aおよび7bと同じ方向に延在させることができる。
【００３０】
なお、楔11と楔受け12は、いずれも邪魔にならないように可能な限りコンパクトな形状、大きさに形成することにより安全性が図られている。また、載置用横架材８を上下手すり7aおよび7bと同じ方向に延在させた状態で回転しないように固定するロック機構(図省略)がブラケット９に取り付けられている。ロック機構が取り付けられていることで、運搬や保管等に際して、載置用横架材８がぶらぶらせず、取り扱いが容易になる。
【００３１】
ロック機構としては、例えば、載置用横架材８の一端側端部8aとブラケット９間に鉛直ピン10と平行に固定ピン(図省略)を脱着可能に取り付ける等の手段がある。
【００３２】
この場合、載置用横架材８の一端側端部8aとブラケット９に鉛直方向に連通するピン孔(図省略)を設け、当該ピン孔に固定ピンを差し込むことにより、載置用横架材８を回転しないように固定することができ、また、固定ピンを抜くことにより載置用横架材８が鉛直ピン10を軸に自由に旋回する構造とすることができる。
【００３３】
図4(a),(b)は、本発明の他の実施形態を図示したものであり、載置用横架材8,8間に棚板13が設置されている。
【００３４】
棚板13は、平台車２の長辺方向に長い長方形板状に形成され、その長辺方向の両端部に載置用横架材８を把持するつかみ金具14,14が取り付けられている。そして、当該つかみ金具13,13を載置用横架材８に嵌合することにより、棚板13は載置用横架材8,8間に脱着可能に架け渡されている。
【００３５】
なお、棚板13は載置用横架材８の長手方向に並列に複数設置する構成としてもよい。また、棚板13には、仮設足場の足場板に使用されているつかみ金具付き布板を使用することができる。
【００３６】
また、置用横架材８を支柱５の上下方向に間隔をおいて複数設置し、各段の載置用横架材8,8の上に棚板13を設置することにより、棚を複数段とすることができる。
【００３７】
なお、図中、符号15は、表示シールであって、最大積載荷重などが記載されている。また、符号イは、完成品または原材料などの資材である。
【産業上の利用可能性】
【００３８】
本発明は、完成品または原材料などの資材の運搬や保管等に際して、種類や性質、用途などに応じて、完成品または原材料などの資材を簡単に仕分けして運搬や保管等することができる。
【符号の説明】
【００３９】
１  仕分け用枠体付き平台車
２  平台車
2a  平台車の縁端部(長辺側縁端部)
３  仕分け用枠体
４  走行用キャスター
５  支柱
６  立込み孔
７  手すり
８  載置用横架材
8a  載置用横架材の一端側端部
8b  載置用横架材の他端側端部
９  ブラケット
10  鉛直ピン
11  楔
12  楔受け
13  棚板
14  つかみ金具
15  表示シール
イ  完成品または原材料などの資材
【図１】
2020044902.tif 000003
【図２】
2020044902.tif 000004
【図３】
2020044902.tif 000005
【図４】
2020044902.tif 000006